(57)【要約】【課題】赤みを帯びることを抑制することができ、遮光する部分が目立ち難い、遮光プレートを提供する。【解決手段】ガラス板２（透明板）と、ガラス板２上に設けられる色補正フィルタ層３と、色補正フィルタ層３上に設けられる赤外線透過膜４と、赤外線透過膜４上、またはガラス板２上、あるいはガラス板２と赤外線透過膜４との間に設けられる可視光・赤外線非透過膜５とを備えることを特徴としている。【選択図】図２
2018124340.tif 000002
【特許請求の範囲】
【請求項１】
透明板と、
前記透明板上に設けられる色補正フィルタ層と、
前記色補正フィルタ層上に設けられる赤外線透過膜と、
前記赤外線透過膜上、または前記透明板上、あるいは前記透明板と前記赤外線透過膜との間に設けられる可視光・赤外線非透過膜と、を備える、遮光プレート。
【請求項２】
平面視において、前記可視光・赤外線非透過膜が設けられている可視光・赤外線非透過領域と、
前記可視光・赤外線非透過膜が設けられておらず、かつ前記赤外線透過膜が設けられている赤外線透過領域とを有し、
前記赤外線透過領域は、前記可視光・赤外線非透過領域に隣接して位置している、請求項１に記載の遮光プレート。
【請求項３】
前記色補正フィルタ層が前記赤外線透過領域及び前記可視光・赤外線非透過領域に設けられている、請求項２に記載の遮光プレート。
【請求項４】
前記色補正フィルタ層が前記可視光・赤外線非透過領域にのみ設けられている、請求項２に記載の遮光プレート。
【請求項５】
前記色補正フィルタ層が前記赤外線透過領域にのみ設けられている、請求項２に記載の遮光プレート。
【請求項６】
前記透明板上に前記可視光・赤外線非透過膜が設けられており、
前記色補正フィルタ層上及び前記可視光・赤外線非透過膜上に、前記赤外線透過膜が設けられている、請求項５に記載の遮光プレート。
【請求項７】
前記可視光・赤外線非透過膜が前記赤外線透過膜上に設けられている、請求項１〜５のいずれか一項に記載の遮光プレート。
【請求項８】
前記透明板上に前記可視光・赤外線非透過膜が設けられており、
前記透明板上及び前記可視光・赤外線非透過膜上に前記色補正フィルタ層が設けられている、請求項１〜５のいずれか一項に記載の遮光プレート。
【請求項９】
前記色補正フィルタ層の可視光域長波長側での透過率が、前記可視光・赤外線非透過膜の可視光域長波長側での透過率よりも小さい、請求項１〜８のいずれか一項に記載の遮光プレート。
【発明の詳細な説明】
【技術分野】
【０００１】
本発明は、赤外線による検知が必要とされるディスプレイ等に用いることができる遮光プレートに関するものである。
【背景技術】
【０００２】
近年、モバイル用のディスプレイでは、タッチパネルが採用されている。このようなタッチパネルでは、周辺部の配線等を隠すため、遮光性の高い材料からなる額縁部が形成されている（特許文献１など）。例えば、額縁部には遮光膜が設けられている。
【０００３】
ところで、車載用のディスプレイなどにおいて、運転などの動作中にパネルにタッチするのは面倒であり、パネルにタッチすることなく操作できる方法が求められている。このような操作方法として、パネルから赤外線を照射し、手をかざすなどの動作を赤外線で検知することによりパネルを操作する方法が検討されている。上記のような動作の検知には、比較的短波長である、８００ｎｍ付近の赤外線が用いられることが多い。
【０００４】
赤外線を照射し検知するため、パネルには赤外線を透過する窓が必要となるが、このような窓を目立たなくするため上記の額縁部内に設けることが検討されている。
【先行技術文献】
【特許文献】
【０００５】
【特許文献１】特開２０１４−０９９１５９号公報
【発明の概要】
【発明が解決しようとする課題】
【０００６】
赤外線を透過する窓を目立たなくするため、上記窓には、赤外線を透過しやすく、かつ可視光を透過し難い赤外線透過膜が設けられることが多い。しかしながら、上記用途において主に使用される赤外線の波長は８００ｎｍ付近であるため、赤外線透過膜は８００ｎｍ付近の透過率を高くする必要がある。そのため、赤外線透過膜において、可視光域長波長側における透過率を十分に低くすることは困難であった。これにより、上記窓が赤みを帯びるため、外観が損なわれる傾向があった。
【０００７】
特許文献１では、赤外線を透過する疑似ブラック層上に、開口部を有する遮光膜が積層されている。それによって、開口部の内側と外側との赤みの差が小さくなり、開口部が目立たないようになる。しかしながら、この場合には、疑似ブラック層及び遮光膜が設けられている部分全域において赤みがかることとなる。そのため、周辺部材の黒色やディスプレイの電源が入力されていない状態の黒色と比較して、額縁部の赤みが目立つこととなり、外観が損なわれる傾向があった。よって、開口部を目立たないようにすることと、額縁部全体が赤みを帯びることの抑制との両立は困難であった。
【０００８】
本発明の目的は、赤みを帯びることを抑制することができ、遮光する部分が目立ち難い、遮光プレートを提供することにある。
【課題を解決するための手段】
【０００９】
本発明に係る遮光プレートは、透明板と、透明板上に設けられる色補正フィルタ層と、色補正フィルタ層上に設けられる赤外線透過膜と、赤外線透過膜上、または透明板上、あるいは透明板と赤外線透過膜との間に設けられる可視光・赤外線非透過膜とを備えることを特徴としている。
【００１０】
本発明においては、平面視において、可視光・赤外線非透過膜が設けられている可視光・赤外線非透過領域と、可視光・赤外線非透過膜が設けられておらず、かつ赤外線透過膜が設けられている赤外線透過領域とを有し、赤外線透過領域は、可視光・赤外線非透過領域に隣接して位置していることが好ましい。
【００１１】
本発明においては、色補正フィルタ層は赤外線透過領域及び可視光・赤外線非透過領域に設けられていてもよい。色補正フィルタ層は可視光・赤外線非透過領域にのみ設けられていてもよい。
【００１２】
本発明においては、色補正フィルタ層は赤外線透過領域にのみ設けられていてもよい。この場合には、透明板上に可視光・赤外線非透過膜が設けられており、色補正フィルタ層上及び可視光・赤外線非透過膜上に、赤外線透過膜が設けられていることが好ましい。
【００１３】
本発明においては、可視光・赤外線非透過膜は赤外線透過膜上に設けられていてもよい。
【００１４】
本発明においては、透明板上に可視光・赤外線非透過膜が設けられており、透明板上及び可視光・赤外線非透過膜上に色補正フィルタ層が設けられていてもよい。
【００１５】
本発明においては、色補正フィルタ層の可視光域長波長側での透過率が、可視光・赤外線非透過膜の可視光域長波長側での透過率よりも小さいことが好ましい。
【発明の効果】
【００１６】
本発明によれば、赤みを帯びることを抑制することができ、遮光する部分が目立ち難い、遮光プレートを提供することができる。
【図面の簡単な説明】
【００１７】
【図１】本発明の第１の実施形態の遮光プレートを示す平面図である。
【図２】図１に示すＩ―Ｉ線に沿う断面図である。
【図３】比較例の遮光プレートを示す断面図である。
【図４】本発明の第２の実施形態の遮光プレートを示す断面図である。
【図５】本発明の第３の実施形態の遮光プレートを示す断面図である。
【図６】本発明の第４の実施形態の遮光プレートを示す断面図である。
【発明を実施するための形態】
【００１８】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００１９】
（第１の実施形態）
図１は、本発明の第１の実施形態の遮光プレートを示す平面図である。本実施形態の遮光プレートは、ディスプレイ用カバー部材や前面板として使用できる。図１に示すように、本実施形態の遮光プレート１においては、透明板であるガラス板２に、可視光透過領域Ａと、可視光・赤外線非透過領域Ｂと、赤外線透過領域Ｃとが形成されている。可視光・赤外線非透過領域Ｂは、ガラス板２の周縁部に形成されており、いわゆる額縁部を構成している。赤外線透過領域Ｃは、可視光・赤外線非透過領域Ｂの内側に形成されている。すなわち、赤外線透過領域Ｃは、可視光・赤外線非透過領域Ｂに隣接して形成されている。
【００２０】
赤外線透過領域Ｃからなる窓は、遮光プレート１の額縁部の左右両側のフレーム部にそれぞれ１対設けられている。例えば、１対の窓の一方から赤外線を照射し、他方の窓で赤外線を検出するように設計することができる。
【００２１】
本実施形態において、可視光・赤外線非透過領域Ｂ及び赤外線透過領域Ｃは、それぞれ黒色に着色されている。可視光・赤外線非透過領域Ｂ及び赤外線透過領域ＣのＬ＊ａ＊ｂ表色系（ＣＩＥ１９７６）の明度指数またはクロマティクネス指数の差が小さい方が、赤外線透過領域Ｃを肉眼で識別しにくくすることができるため好ましい。例えば、明度指数の差は、０．２以下であることが好ましく、０．１以下であることがより好ましい。クロマティクネス指数の差は、１以下であることが好ましく、０．５以下であることがより好ましい。中央に位置する可視光透過領域Ａは、ディスプレイの画像を表示する部分である。
【００２２】
可視光透過領域Ａは、少なくとも可視光を透過し、可視光・赤外線非透過領域Ｂは、可視光透過領域Ａよりも可視光の透過率が低い。赤外線透過領域Ｃは、可視光透過領域Ａよりも可視光の透過率が低く、かつ、赤外線の透過率が可視光・赤外線非透過領域Ｂよりも高い。
【００２３】
可視光・赤外線非透過領域Ｂにおいて、波長４００ｎｍ〜７５０ｎｍの範囲における光の平均透過率が３％以下であることが好ましく、１％以下であることがさらに好ましい。また、可視光・赤外線非透過領域Ｂにおいて、波長７９０ｎｍ〜１０００ｎｍの範囲における光の平均透過率が１０％以下であることが好ましく、１％以下であることがさらに好ましい。
【００２４】
赤外線透過領域Ｃにおいて、波長４００ｎｍ〜７５０ｎｍの範囲における光の平均透過率が３％以下であることが好ましく、１％以下であることがさらに好ましい。赤外線透過領域Ｃの波長４００ｎｍ〜７５０ｎｍの範囲における光の透過率は、可視光・赤外線非透過領域Ｂのそれと同じであることが特に好ましい。また、赤外線透過領域Ｃにおいて、波長７９０ｎｍ〜１０００ｎｍの範囲における光の平均透過率は、可視光・赤外線非透過領域Ｂのそれよりも高く、１５％以上であることが好ましく、５０％以上であることがさらに好ましく、７５％〜９０％の範囲内であることが特に好ましい。
【００２５】
図２は、図１に示すＩ―Ｉ線に沿う断面図である。図２に示すように、ガラス板２上には、色補正フィルタ層３が設けられている。色補正フィルタ層３上には、赤外線透過膜４が設けられている。赤外線透過膜４上には、可視光・赤外線非透過膜５が設けられている。
【００２６】
本実施形態では、可視光・赤外線非透過領域Ｂは、色補正フィルタ層３、赤外線透過膜４及び可視光・赤外線非透過膜５が積層されることにより形成されている。可視光・赤外線非透過領域Ｂは、上述のように、ガラス板２の周縁部に形成されているので、色補正フィルタ層３、赤外線透過膜４及び可視光・赤外線非透過膜５は、ガラス板２の周縁部に設けられている。
【００２７】
図２に示すように、可視光・赤外線非透過膜５には、赤外線を透過する窓となる開口部５ａが形成されている。開口部５ａは、赤外線透過領域Ｃに位置している。本実施形態では、赤外線透過領域Ｃは、色補正フィルタ層３及び赤外線透過膜４が積層されることにより形成されている。なお、図１に示した可視光透過領域Ａは、色補正フィルタ層３、赤外線透過膜４及び可視光・赤外線非透過膜５が設けられていない領域である。
【００２８】
ガラス板２は、遮光プレートに用いることができるものであれば特に限定されるものではない。ガラス板２は、例えば、無アルカリガラス、ソーダライムガラス、ホウケイ酸ガラス、アルミノシリケートガラスなどからなるガラスにより構成することができる。また、ガラス板２は、ソーダライムガラスやアルミノシリケートガラスを化学強化した、化学強化ガラスなどにより構成することができる。
【００２９】
可視光・赤外線非透過膜５は、カーボンブラックなどの炭素系黒色顔料や酸化物系黒色顔料を含有したインクやペーストなどから形成することができる。バインダーは特に限定されるものではなく、例えば、紫外線硬化樹脂やレジスト材用樹脂などを用いることができる。可視光・赤外線非透過膜５は、フォトリソグラフィー法やスクリーン印刷法などで形成することができる。可視光・赤外線非透過膜５は、波長４００ｎｍ〜７５０ｎｍの範囲における光の平均透過率が３％以下であることが好ましく、１％以下であることがさらに好ましい。また、可視光・赤外線非透過膜５は、波長７９０ｎｍ〜１０００ｎｍの範囲における光の平均透過率が１０％以下であることが好ましく、１％以下であることがさらに好ましい。
【００３０】
赤外線透過膜４は、例えば、赤色系と青色系、または、赤色系と青色系と黄色系の顔料が混合された顔料混合物を含有したインクやペーストなどから形成することができる。具体的な顔料としては、特許文献１に挙げられた顔料を用いることができる。バインダーは特に限定されるものではなく、例えば、紫外線硬化樹脂やレジスト材用樹脂などを用いることができる。具体的なバインダーとしては、特許文献１に挙げられたバインダーを用いることができる。
【００３１】
赤外線透過膜４は、フォトリソグラフィー法やスクリーン印刷法などで形成することができる。これに限定されるものではなく、その他の方法で形成してもよい。赤外線透過膜４は、波長４００ｎｍ〜７５０ｎｍの範囲における光の平均透過率が３％以下である膜からなることが好ましく、１％以下であることがさらに好ましい。赤外線透過膜４は、波長４００ｎｍ〜７５０ｎｍの範囲における光の透過率が、可視光・赤外線非透過膜５のそれと同じ膜からなることが特に好ましい。また、赤外線透過膜４は、波長７９０ｎｍ〜１０００ｎｍの範囲における光の平均透過率が可視光・赤外線非透過膜５よりも高く、１５％以上である膜からなることが好ましく、５０％以上である膜からなることがさらに好ましく、７５％〜９０％の範囲内である膜からなることが特に好ましい。
【００３２】
なお、可視光・赤外線非透過膜５及び赤外線透過膜４の光の平均透過率は、厚み１ｍｍの無色のソーダライムガラス上に、厚み１．０μｍの膜を形成して測定した値である。
【００３３】
色補正フィルタ層３は、可視光域長波長側に位置する赤色の光を吸収する層である。なお、本明細書において、可視光域長波長側とは、例えば、波長６００ｎｍ〜７５０ｎｍの範囲をいう。色補正フィルタ層３は、波長６００ｎｍ〜７５０ｎｍの範囲における光の平均透過率が５％以下であることが好ましく、２％以下であることがさらに好ましい。
【００３４】
色補正フィルタ層３は、例えば、ポリエステル樹脂やカーボンなどから形成することができる。
【００３５】
色補正フィルタ層３は、フォトリソグラフィー法やスクリーン印刷法などで形成することができる。これに限定されるものではなく、その他の方法で形成してもよい。
【００３６】
本実施形態の特徴は、透明板であるガラス板２と赤外線透過膜４の間に色補正フィルタ層３が設けられていることにある。それによって、赤みを帯びることを抑制することができ、遮光する部分が目立ち難い。これを、以下において、本実施形態と比較例とを比較することにより説明する。
【００３７】
図３は、比較例の遮光プレートを示す断面図である。なお、図３は、図１中のＩ−Ｉ線に沿う部分に相当する断面図である。
【００３８】
比較例の遮光プレート１０１は色補正フィルタ層３を有しない。遮光プレート１０１においては、赤外線透過膜４及び可視光・赤外線非透過膜５が積層されることにより可視光・赤外線非透過領域Ｂが形成されている。ここで、赤外線透過膜４は、例えば８００ｎｍ付近の、比較的短波長の波長域を含めて赤外線の透過率が高いことが必要となることが多い。そのため、比較例では、可視光・赤外線非透過領域Ｂ及び赤外線透過領域Ｃにおいて、可視光域長波長側の透過率を十分に低くすることは困難である。そのため、可視光・赤外線非透過領域Ｂ及び赤外線透過領域Ｃの全域において赤みを帯び、外観が損なわれる傾向がある。
【００３９】
これに対して、図２に示すように、本実施形態では、ガラス板２と赤外線透過膜４との間に、色補正フィルタ層３が設けられている。色補正フィルタ層３は、可視光・赤外線非透過領域Ｂ及び赤外線透過領域Ｃに設けられている。よって、可視光・赤外線非透過領域Ｂ及び赤外線透過領域Ｃにおける可視光域長波長側の透過率を十分に低くすることができ、赤みを帯びることを抑制することができる。従って、遮光する部分である、可視光・赤外線非透過領域Ｂ及び赤外線透過領域Ｃが目立ち難い。
【００４０】
色補正フィルタ層３は、可視光域長波長側の透過率が低いことが好ましい。それによって、可視光・赤外線非透過領域Ｂ及び赤外線透過領域Ｃにおいて赤みを帯びることをより一層抑制することができ、遮光する部分がより一層目立ち難い。また、色補正フィルタ層３は、可視光・赤外線非透過膜５よりも可視光域長波長側の透過率が低いことが好ましい。
【００４１】
なお、例えば、ガラス板２の、色補正フィルタ層３などが設けられている面とは反対側の面上には、いわゆる防眩効果を付与するアンチグレア層や、反射防止膜、防汚層などが設けられていてもよい。アンチグレア層、反射防止膜及び防汚層などは積層されていてもよい。
【００４２】
（第２の実施形態）
図４は、第２の実施形態の遮光プレートを示す断面図である。本実施形態の遮光プレートは、色補正フィルタ層１３が開口部１３ａを有する点で、第１の実施形態と異なる。上記の点以外においては、本実施形態の遮光プレートは、第１の実施形態の遮光プレート１と同様の構成を有する。
【００４３】
色補正フィルタ層１３の開口部１３ａは、赤外線透過領域Ｃに位置している。よって、色補正フィルタ層１３は、可視光・赤外線非透過領域Ｂにのみ設けられている。赤外線透過膜１４は、色補正フィルタ層１３上及び開口部１３ａ内に設けられている。赤外線透過領域Ｃは、赤外線透過膜１４のみにより形成されている。よって、赤外線透過領域Ｃにおける赤外線の透過率を高めることができる。
【００４４】
可視光・赤外線非透過領域Ｂにおいては、色補正フィルタ層１３、赤外線透過膜１４及び可視光・赤外線非透過膜５が積層されている。これにより、可視光・赤外線非透過領域Ｂにおいて赤みを帯びることを抑制することができる。よって、遮光する部分が目立ち難い。
【００４５】
なお、本実施形態においても、可視光・赤外線非透過領域Ｂと赤外線透過領域Ｃとを肉眼により識別し難い。これは、可視光・赤外線非透過領域Ｂ及び赤外線透過領域Ｃが、肉眼により差を認識し難い色味になるためと考えられる。
【００４６】
（第３の実施形態）
図５は、第３の実施形態に係る遮光プレートを示す断面図である。本実施形態の遮光プレートは、可視光・赤外線非透過膜５がガラス板２と色補正フィルタ層２３との間に設けられている点で、第１の実施形態と異なる。上記の点以外においては、本実施形態の遮光プレートは、第１の実施形態の遮光プレート１と同様の構成を有する。
【００４７】
ガラス板２には、開口部５ａにおいて可視光・赤外線非透過膜５が形成されていない。色補正フィルタ層２３は、可視光・赤外線非透過領域Ｂと赤外線透過領域Ｃに跨って設けられている。また、色補正フィルタ層２３は、可視光・赤外線非透過領域Ｂにおいては、可視光・赤外線非透過膜５上に設けられている。
【００４８】
本実施形態においても、可視光・赤外線非透過領域Ｂ及び赤外線透過領域Ｃにおいて、ガラス板２と赤外線透過膜４との間に、色補正フィルタ層２３が設けられている。よって、可視光・赤外線非透過領域Ｂ及び赤外線透過領域Ｃにおける可視光域長波長側の透過率を十分に低くすることができる。従って、赤みを帯びることを抑制することができ、遮光する部分が目立ち難い。
【００４９】
（第４の実施形態）
図６は、第４の実施形態に係る遮光プレートを示す断面図である。本実施形態の遮光プレートは、色補正フィルタ層３３が赤外線透過領域Ｃにのみ設けられている点で、第３の実施形態と異なる。赤外線透過膜４は、可視光・赤外線非透過膜５上及び色補正フィルタ層３３上に設けられている。上記の点以外においては、本実施形態の遮光プレートは、第３の実施形態の遮光プレートと同様の構成を有する。
【００５０】
本実施形態においては、赤外線透過領域Ｃにおいて色補正フィルタ層３３及び赤外線透過膜４が積層されているため、赤外線透過領域Ｃが赤みを帯びることを抑制することができる。よって、赤外線透過領域Ｃと可視光・赤外線非透過領域Ｂとを肉眼により識別し難く、遮光する部分が目立ち難い。
【００５１】
本発明の遮光プレートは、ディスプレイ用カバーガラス以外にも、例えば、建築物、自動車、電化製品の外装に使用することが可能である。
【符号の説明】
【００５２】
１…遮光プレート
２…ガラス板
３…色補正フィルタ層
４…赤外線透過膜
５…可視光・赤外線非透過膜
５ａ…開口部
１３…色補正フィルタ層
１３ａ…開口部
１４…赤外線透過膜
２３，３３…色補正フィルタ層
１０１…遮光プレート
Ａ…可視光透過領域
Ｂ…可視光・赤外線非透過領域
Ｃ…赤外線透過領域
【図１】
2018124340.tif 000003
【図２】
2018124340.tif 000004
【図３】
2018124340.tif 000005
【図４】
2018124340.tif 000006
【図５】
2018124340.tif 000007
【図６】
2018124340.tif 000008